(57)【特許請求の範囲】
【請求項１】
リング状の外枠の前面側には枠押さえが、背面側には受け板がそれぞれ固定され、
外枠内部には上下に延びるガイドピンが配設されるとともに、焦点鏡を囲繞する楔型の焦点鏡枠が一対のコマによって上下方向に支持され、
一方のコマにはばね受けねじに取り付けられた圧縮ばねが作用し、他方のコマには外枠に形成された雌ねじ部に螺合貫通する調整ねじが係合し、
該調整ねじの回動によって前記焦点鏡枠がガイドピンに沿って上下にスライドすることを特徴とする焦点鏡調整装置。
【請求項２】
前記一対のコマには係合孔が形成され、該係合孔に前記ばね受けねじ及び前記調整ねじがそれぞれ係合したことを特徴とする請求項１記載の焦点鏡調整装置。
【請求項３】
前記焦点鏡枠と前記コマとの当接面をそれぞれ傾斜面とし、調整ねじの締め付けに伴って焦点鏡枠が枠押えに、コマが受け板に圧接されるように形成したことを特徴とする請求項２記載の焦点鏡調整装置。
【請求項４】
前記調整ねじ側に位置するコマに形成された係合孔には鋼球が配設され、該鋼球を介して前記調整ねじと前記コマとが当接することを特徴とする請求項２記載の焦点鏡調整装置。
【請求項５】
前記ガイドピンは丸棒であることを特徴とする請求項１乃至４いずれか記載の焦点鏡調整装置。
【発明の詳細な説明】
【０００１】
【発明の属する技術分野】
本発明は焦点鏡調整装置に係り、特に水準儀に備えられた焦点鏡の調整を行う測量機の焦点鏡調整装置に関する。
【０００２】
【従来の技術】
従来から、望遠鏡の焦点鏡の調整は、焦点鏡枠の円周４方向に設けたねじの押し引きにより行われている。しかし焦点鏡枠の周囲４方向に設けた４つのねじを全て動かさなくてはならず手間がかかるという不都合があった。また焦点鏡を所定の位置に固定するためにねじを締めるときには、どうしても焦点鏡が動いてしまうので、その分を見込んで調整をしなくてはならなかった。また、十字線の傾きの調整ができなかった。
【０００３】
そこで１本のねじで調整できる技術が提案されている。例えば実開昭６１−２４７１９号公報では、焦点板外枠における調整ねじ及び取付ねじの遊嵌部は、夫々焦点板外枠の円周方向に長い条孔に形成されると共に、焦点板枠を調整ねじ側、取付ねじ側のいずれか一方の側に弾引するための弾引機構を具えた技術が開示されている。
【０００４】
すなわち、この技術によれば、一本のねじで調整するものであり、「焦点板外枠（４）内の後端よりに前端面を当接し、焦点板外枠（４）内の後端面付近に欠円リング（６）を固定し、焦点板枠（３）の後端面と欠円リング（６）の前面との間にばね座金（７）を介在させて、焦点板枠（３）、従って焦点板（１）を常に突縁（５）の後端面すなわち焦点板外枠（４）の前方側に弾圧するように形成する。次に焦点板外枠（４）の上下対称位置又は左右対称位置に、外枠の円周方向に長いねじ貫通条孔（８）（９）を設ける。ねじ貫通条孔（８）には、調整ねじ（１０）の螺杆部（１０ｂ）を貫挿し、この螺杆部（１０ｂ）は焦点板枠（３）に設けたねじ孔（１６）に螺入されている。而して調整ねじ（１０）の頭部（１０ａ）と焦点板外枠（４）の外面との間に彎曲座金（１２ａ）を介在させる。またねじ貫通条孔（９）に、取付ねじ（１１）の螺杆部（１１ｂ）を貫挿し、この螺杆部（１１ｂ）は、焦点板枠（３）に設けたねじ孔（１７）に螺入され、上記取付ねじ（１１）と前期調整ねじ（１０）とにより焦点板枠（３）を支持している。」而して焦点板枠（３）は、取付ねじ（１１）の方向又は調整ねじ（１０）の方向に弾引機構により常に弾引されている」こと、「前記ねじ貫通条孔（９）を掩閉するように、焦点板外枠（４）の外面に当接された彎曲座金（１２ｂ）と、取付ねじ（１１）の頭部（１１ａ）との間に、弾撥ばね部材（１３）を介在させて取付ねじ（１１）を常に外方に弾引し、従って焦点板枠（３）を取付ねじ（１１）側に弾引する」ことが開示されている（実開昭６１−２４７１９号の明細書第４頁第１６行乃至第６頁第１行）。
【０００５】
また、ねじに弾力手段を有しているものとして、上記実開昭６１−２４７１９号公報の他に、実公昭４１−１３５号公報等が知られている。
【０００６】
さらに、傾きを修正できるものとしても、上記実開昭６１−２４７１９号公報の他に、実開昭５４−１１８１５４号公報が知られている。この実開昭５４−１１８１５４号公報では、「装置本体に固定された保持板と、該保持板に支持されて搭載されたレンズ等の光学系の焦点距離を調整（Ｚ方向）する第１調整機構と、上記保持板に支持されかつ搭載された読取素子を上記Ｚ方向と垂直な面内でＸ方向、Ｙ方向及びねじれ方向（Ｑ方向）に調整する第２調整機構とを備えてなり、保持板を基準面として該保持板に搭載された第１及び第２調整機構を介してＸ，Ｙ，Ｚ及びＱ方向の位置調整をする」技術が開示されている。すなわち、保持板１１の相対する面にはＺ方向移動板１６が四隅のビス２７で位置調整可能に取付けられ，Ｙ方向移動は微調整用として従来から用いられている差動ねじ１８によって行われる。Ｙ方向移動板１６の差動ねじ１８と対向する側に設けられたピン１９は、上記差動ねじ１８による移動を吸収するガイドピンである。上記差動ねじ１８はリードＬ1，Ｌ2の１種のねじが刻まれて成り、差動ねじ１８の１回転によってＹ方向移動板はＹ＝Ｌ1−Ｌ2だけ移動し、リードＬ1とＬ2を近づけることによって更に微調整が可能となる。
【０００７】
上記Ｙ方向移動板は保持板１１に当接する側と相対する側でＱ方向移動板２３に嵌合し，該Ｑ方向移動板２３と保持板１１間にＹ方向移動板１６を覆ってＸ方向移動板１７及びＸ方向調整板２０が介挿されている。まず上記Ｑ方向移動板２３には読取素子１０を判定した基板２４が固定ビス２６，２６によって一体的に取付けられ、Ｑ方向移動板２３の他端は上記Ｙ方向移動板１６の突部１６ａと係合し，Ｙ方向移動板１６の移動に伴って変位する。Ｑ方向移動板２３はＱ方向調整ねじ２５によってＸ方向調整板２０及びＸ方向移動板１７に支持されるが、調整ねじ２５が挿通される部分のＱ方向移動板２３には、ねじ径よりも充分大きいバカ穴２５ａが形成され、バカ穴２５ａの範囲内で基板２４をＸ方向調整板２０上で摺動させて、Ｑ方向のねじれ調整が実行される。ねじれ調整がなされた状態でＱ方向調整ねじ２５が締結され、位置が固定される。ただし該Ｑ方向調整ねじ２５は上記Ｙ方向の位置調整及び次に述べるＸ方向の位置調整がなされた状態で締結され、調整作業中は緩められた状態に置かれる。
【０００８】
Ｘ方向の位置調整は、Ｙ方向移動板１６を覆ってＱ方向移動板２３との間に介挿されたＸ方向移動板１７によって、該Ｘ方向移動板１７のＸ方向に設けられた調整差動ねじ２１の回転により実行される。Ｘ方向移動板１７のＸ方向に設けられたガイドピン２２は上記差動ねじに２１よるＸ方向移動を吸収する。差動ねじ２１は上記差動ねじ１８と同様にリードの異なるねじで形成され、微調整がなされる。差動ねじ２１の回転によってＸ方向移動板１７が移動すると、該移動に伴って嵌合状態にあるＹ方向移動板１６もまた一体的に移動し、更にＸ方向微調整板２０に支持された基盤２４をもＸ方向に移動させて位置調整する。」ことが開示されている（実開昭５４−１１８１５４号の明細書第４頁第１４行乃至第６頁第１９行）。
【０００９】
【発明が解決しようとする課題】
しかし上記実開昭６１−２４７１９号公報で示す技術では、焦点板を保持する枠に直接調整ねじや取付ねじを螺合させて調整するものであり、傾きに関しては「十字線（２）の傾きを調整するには、木槌などで調整ねじ（１０）の頭部（１０ａ）又は取付ねじ（１１）の頭部（１１ａ）を叩」くものであり、熟練を要する調整なので不都合がある。
【００１０】
また実開昭５４−１１８１５４号公報で開示された技術は、機構が複雑であるだけでなく、ねじの押し引きによる調整機構では、焦点板の周囲４方向に設けた４つのねじを全てを動かさなくてはならず手間かかかるという不都合があった。また焦点板を所定の位置に固定するためにねじを締めるときには、どうしても焦点板が動いてしまうので、その分を見込んで調整をする場合が生じていた。
【００１１】
そこで本願出願人は焦点板の調整を行う技術を提案している。例えば、特開平９−１２６７５３号公報で提案した技術は、図６に示すように、調整ねじ１０６を回すことにより調整ねじ１０６が焦点板枠押え１０２を押し、これによりばね１０５が圧縮されて、焦点板枠１０１と焦点板枠押え１０２が視準軸に垂直な平面上を水平方向に移動させる技術である。
【００１２】
しかし、上記従来技術では、焦点板枠押え１０２に対向形成したＶ溝１０２ａを調整ねじ１０６と押えピン１０４で支持した構成であるため、調整ねじ１０６を回して焦点板枠１０１と枠押え１０２を水平方向に移動させる際に周方向にも回動し、焦点板の十字線が傾いた状態となるため、ビス１０７を緩めて焦点板枠１０１を長孔１０１ｂに沿って回すことで、十字線の傾きを調整する必要があった。即ち、十字線の傾きを調整してやる必要があり、それだけ調整機構が複雑となっていた。
【００１３】
本発明の目的は、１本の調整ねじによって焦点鏡の十字線位置を簡単に調整できる焦点鏡調整装置を提供することにある。
【００１４】
【課題を解決するための手段】
本発明の請求項１に係る焦点鏡調整装置は、リング状の外枠の前面側には枠押さえが、背面側には受け板がそれぞれ固定され、外枠内部には上下に延びるガイドピンが配設されるとともに、焦点鏡を囲繞する楔型の焦点鏡枠が一対のコマによって上下方向に支持され、一方のコマには圧縮ばねが作用し、他方のコマには外枠に形成された雌ねじ部に螺合貫通する調整ねじが係合し、該調整ねじの回動によって前記焦点鏡枠がガイドピンに沿って上下にスライドすることを特徴とする。
【００１５】
また前記一対のコマには係合孔が形成され、該係合孔に前記ばね受けねじ及び調整ねじがそれぞれ係合すると好適である。このとき、前記焦点鏡枠と前記コマとの当接面をそれぞれ傾斜面とし、調整ねじの締め付けに伴って焦点鏡枠が枠押えに、コマが受け板に圧接されるように形成すると好適である。また前記調整ねじ側に位置するコマに形成された係合孔には鋼球が配設され、該鋼球を介して前記調整ねじと前記コマとが当接するようにすると好適である。さらに前記ガイドピンは丸棒であると好適である。
【００１６】
【作用】
本発明の焦点鏡調整装置は、リング状の外枠内部に、上下に延びるガイドピンが配設され、また焦点鏡を囲繞する楔型の焦点鏡枠が一対のコマによって上下方向に支持された構成とされている。また一方のコマには圧縮ばねが作用し、他方のコマには外枠に形成された雌ねじ部に螺合貫通する調整ねじが係合している。
【００１７】
前記くさび型の焦点鏡枠は、上記のように上下方向に一対のコマを介して、圧縮ばねのばね力で挟持されることにより、焦点鏡枠の側縁端面がガイドピンに当接するように保持されている。そして、調整ねじを回動させることにより、焦点鏡枠はガイドピン及び枠押えに接触したまま上下にスライドさせ、焦点鏡の調整を行う。
【００１８】
このように本発明の焦点鏡調整装置によれば、ねじ１本で調整を行うことができるので、焦点鏡の調整に要する時間を削減することができ、作業効率性を向上させることが可能となる。また調整に熟練を必要とすることなく正確且つ簡単に焦点鏡の調整を行うことが可能となる。
【００１９】
また前記一対のコマに係合孔を形成し、この係合孔にばね受けねじ及び調整ねじがそれぞれ係合させることにより、外枠内におけるコマの変位を防止することができる。さらに焦点鏡枠とコマとの当接面をそれぞれ傾斜面に形成することにより、調整ねじの締め付けに伴って焦点鏡枠が枠押えに、コマが受け板に圧接されるため、焦点鏡枠の傾きを防止することができる。
【００２０】
なお焦点鏡枠をガイドするガイドピンを丸棒とすることにより、焦点鏡枠はガイドピンに対して面接触でなく常に線接触することができ、外枠内におけるガイドピンの配設を容易にすることができる。
【００２１】
【発明の実施の形態】
焦点鏡２３の十字線の一方は、焦点鏡枠２４の台形下底に相当する側縁端面２５ａに平行に予め設定されている。焦点鏡調整装置Ｓは、リング状の外枠１０を有し、外枠１０の前面側には枠押さえ３０が、背面側には受け板１４がそれぞれ配設されている。
【００２２】
さらに外枠１０内部には上下に延びるガイドピン２０が配設されている。焦点鏡２３は楔型の焦点鏡枠２４に囲繞されており、この焦点鏡枠２４は、枠押え３０と受け板１４で前後方向に挟まれ、一対のコマ２６，２７によって上下方向に支持されている。一方のコマ２６には圧縮ばねとしてのコイルばね１７が作用し、他方のコマ２７には外枠１０に形成された雌ねじ部１８ｃに螺合貫通する調整ねじ１８が係合している。
【００２３】
前記くさび型の焦点鏡枠２４は、上下方向に一対のコマ２６，２７を介して、コイルばね１７のばね力で挟持されることにより、焦点鏡枠２４の側縁端面２５ａがガイドピン２０に当接するように保持されている。この状態で調整ねじ１８を回動させると、焦点鏡枠２４はガイドピン２０と焦点鏡枠押え３０に接触したままＹ軸方向に正確にスライドされる。
【００２４】
なお前記コマ２６のばね受けねじ１６と係合する側に係合孔２６ｂを形成し、この係合孔にばね受けねじ１６を係合させ、また前記コマ２７の調整ねじ１８と係合する側に係合孔２７ｂを形成し、この係合孔に調整ねじを係合させる構成とすることにより、各ねじの先端部が係合孔２６ｂ，２７ｂに係合して、コマ２６，２７の左右方向（Ｘ軸方向）の変位を阻止することができる。
【００２５】
さらに、焦点鏡枠２４とコマ２６，２７との当接面を、Ｘ軸方向及びＺ軸方向から見て、ハ字状に傾斜するように形成することにより、調整ねじ１８の締め付けに伴って焦点鏡枠２４が枠押さえ３０に、コマ２６，２７が受け板１４に圧接され、焦点鏡枠２４が傾くのを防止することができる。また焦点鏡枠２４をガイドするガイドピン２０を丸棒とすることにより、焦点鏡枠２４はガイドピン２０に対して面接触でなく常に線接触することができ、外枠１０内におけるガイドピン２０の配設を容易にすることができる。
【００２６】
【実施例】
以下、本発明の一実施例を図面に基づいて説明する。なお、以下に説明する部材，配置等は本発明を限定するものでなく、本発明の趣旨の範囲内で種々改変することができるものである。
【００２７】
図１乃至図５は本発明に係る実施例を示すものであり、図１は図２に示す本発明の焦点鏡調整装置のА−Аに相当する断面説明図、図２は本発明の焦点鏡調整装置の正面図、図３は図１に示す本発明の焦点鏡調整装置のＢ−Ｂに相当する断面説明図、図４は焦点鏡枠，コマ，ガイドピンを示す斜視図、図５は焦点鏡調整装置の測量機への取付を示す説明図である。
【００２８】
本発明の焦点鏡調整装置Ｓは、例えばレベル等の測量機における焦点鏡調整装置に関するものであり、外枠１０と、外枠の前面側に位置する枠押さえ３０と、外枠の背面側に位置する受け板１４と、外枠１０に配設される焦点鏡枠２４と、焦点鏡枠２４に囲繞される焦点鏡２３と、焦点鏡に貼着された防塵ガラス２８と、焦点鏡枠２４を支持するコマ２６，２７と、ばね受けねじ１６と、ばね受けねじ１６に取り付けられる圧縮ばねとしてのコイルばね１７と、調整ねじ１８と、ガイドピン２０と、を主要構成要素としている。
【００２９】
外枠１０は、リング状の接眼外枠である。外枠１０は、焦点鏡装置Ｓを測量機に配設したとき外方に向けて開口する開口部１１ａと、鏡筒１側に開口する開口部１１ｂとを有している。開口部１１ａは、開口部１１ｂより小さめに形成されており、開口部１１ａの周縁部には底部１１ｃが位置している。
【００３０】
また外枠１０には、焦点鏡調整装置Ｓを測量機の鏡筒１へ取り付ける外枠固定ねじ１５を係合させるための複数のねじ孔１５ａが形成されている。
【００３１】
前記開口部１１ａには受け板１４が配設されている。受け板１４は、中央に円孔１４ａが設けられた円形の板材である。この受け板１４の周縁部を前記底部１１ｃに載置し、開口部１１ａから円孔１４ａが露出するように配設する。このとき受け板１４と、外枠１０とで囲まれた空間を凹部１２とする。
【００３２】
図３に示すように、外枠１０には、Ｙ軸方向に貫通して対向して配設される、コイルばね１７を有するばね受けねじ１６と、調整ねじ１８と、が設けられている。ばね受けねじ１６は、頭部１６ａと、雄ねじ部１６ｂと、棒部１６ｃとから構成されており、雄ねじ部１６ｂの内径は、棒部１６ｃの内径よりも大きめに形成されている。そしてコイルばね１７は、棒部１６ｃを囲むようにして係合されている。調整ねじ１８は、頭部１８ａと雄ねじ部１８ｂとから構成されている。
【００３３】
前記ばね受けねじ１６及び調整ねじ１８は、外枠１０に形成されたねじ孔に係合して、外枠１０を貫通している。ばね受けねじ１６が貫通するねじ孔には、ばね受けねじ１６の雄ねじ部１６ｂと螺合可能な雌ねじ部１６ｄが形成されている。同様に、調整ねじ１８を貫通するねじ孔には、調整ねじ１８の雄ねじ部１８ｂと螺合可能な雌ねじ部１８ｃが形成されている。
【００３４】
ばね受けねじ１６は、雄ねじ部１６ｂ及び棒部１６ｃをねじ孔に挿入し、ねじ孔の雌ねじ部１６ｄと、ばね受けねじ１６の雄ねじ部１６ｂとを螺合させることにより取り付けられる。また調整ねじ１８は、雄ねじ部１８ｂと、ねじ孔の雌ねじ部１８ｃとを螺合させることにより取り付けられる。
【００３５】
外枠１０の凹部１２内において、Ｙ軸から偏心した位置には、ガイドピン２０がＹ軸と平行に配設されている。ガイドピン２０は、外枠１０に設けた貫通孔１０ａ，１０ａに圧入固定されている。なお、このガイドピン２０を丸棒形状とすることにより、焦点鏡枠２４はガイドピン２０に対して面接触でなく常に線接触することができ、外枠１０内におけるガイドピン２０の配設を容易にすることができる。
【００３６】
焦点鏡２３には、十字線２３ａや図示しないスタジア線が設けられており、焦点鏡枠２４に囲繞され且つ一体化されている。焦点鏡枠２４は、外枠１０の凹部１２内に収容されている。焦点鏡枠２４は、図４に示すようにガイドピン２０側の辺が対向する辺よりも長く形成された正面視台形で、辺２４ｃ，２４ｄが上下方向に異なる向きに傾斜して形成されている。
【００３７】
さらに本例の焦点鏡枠２４においては、上記斜辺２４ｃ，２４ｄに連続する側面２４ａ，２４ｂが、図に示すＺ軸方向及びＸ軸方向から見てハ字型に傾斜するように形成されている。
【００３８】
焦点鏡枠２４の上下には、側面２４ａ，２４ｂに隣接して押えコマ２６，２７が配設されている。押えコマ２６は、図１及び図３に示すように、ばね受けねじ１６の棒部１６ｃが係合される係合孔２６ｂが形成されている。係合孔２６ｂは、前記棒部１６ｃを係合可能な大きさで、且つコイルばね１７の径よりも小さめに形成されている。よって棒部１６ｃの周縁に取り付けられたコイルばね１７は、ばね受けねじ１６の雄ねじ部１６ｂと係合孔２６ｂの周縁との間に介装される。
【００３９】
押えコマ２７には、調整ねじ１８が係合される係合孔２７ｂが形成されている。このとき、係合孔２７ｂ内に、鋼球１９を収容することにより、調整ねじ１８と係合孔２７ｂ間の摩擦を低減し、調整ねじ１８のスムーズな回動と摩滅の軽減を図ることができる。
【００４０】
さらに図４に示すように押さえコマ２６，２７は、焦点鏡枠２４の側面２４ａ，２４ｂに隣接する面２６ａ，２７ａが、焦点鏡枠２４の側面２４ａ，２４ｂに整合するように傾斜して形成されている。このような構成とすることにより、調整ねじ１８の締め付けに伴って焦点鏡枠２４を枠押さえ３０に、押えコマ２６，２７を受け板１４にそれぞれ圧接させることができ、焦点鏡枠２４の外枠１０内における傾きを防止することができる。
【００４１】
また押えコマ２６，２７へのばね受けねじ１６及び調整ねじ１８が、押えコマ２６，２７の右側寄りの位置において当接する構成を示したが、これに限らず、押えコマ２６，２７の中央位置で当接するように構成しても良い。いずれの場合においても、ばね受けねじ１６及び調整ねじ１８の中心線を結んだ線がＹ軸に平行となるようにされるものとする。
【００４２】
枠押え３０は、外枠１０の開口部１１ｂに配設されるものである。枠押え３０は、外周側面部に雄ねじ部３０ａを有している。また、外枠１０の開口部周縁には円筒型の立壁１３が形成されており、この立壁１３には図示しない雌ねじ部が形成されている。枠押え３０の雄ねじ部３０ａを開口部１１ｂの立壁１３の雌ねじに螺合させて回しながら配設することにより、枠押え３０は、外枠１０の凹部１２内の焦点鏡枠２４及び押えコマ２６，２７と、突当て面３２で当接し、焦点鏡枠２４及び押えコマ２６，２７を受け板１４側へ押圧して、前後方向（Ｚ軸方向）の動きを拘束する。なお、図１に示す枠押え３０に設けられた孔３１，３１は、枠押え３０を開口部１１ｂに取り付ける取付具を係合させるための係合穴である。
【００４３】
次に上記焦点鏡調整装置Ｓを測量機の鏡筒１へ取り付ける方法について説明する。図５に示すように、鏡筒１には、焦点鏡調整装置Ｓを取り付けるための、開口１ａ及びねじ孔１ｂが形成されている。開口１ａは外枠１０の立壁１３を嵌合可能な大きさに形成されている。この開口１ａへ外枠１０の立壁１３を嵌合させて、さらに外枠固定ねじ１５を外枠１０のねじ孔１５ａ及び鏡筒１のねじ孔１ａへ係合させて締め付けることにより、焦点鏡調整装置Ｓを鏡筒１へ取り付ける。
【００４４】
次に上記構成からなる焦点鏡調整装置Ｓの動作について説明する。図４に示すように、焦点鏡枠２４は上下方向に一対のコマ２６，２７を介して、コマ２６側から、コイルばね１７のばね力で矢印Ｃ方向に押圧される。焦点鏡枠２４は、コマ２６，２７の間で挟持されて、焦点鏡枠２４の側縁端面２５ａがガイドピン２０に向けて矢印Ｄ方向に圧接される。
【００４５】
そして、調整ねじ１８を締め付ける方向に回動させ、矢印Ｅ方向に移動させると、焦点鏡枠２４は、コイルばね１７のばね力に抗してガイドピン２０に沿ってＹ方向にスライドする。
【００４６】
さらに、焦点鏡枠２４は、側面２４ａ，２４ｂが、図に示すＺ軸方向及びＸ軸方向から見てハ字型に傾斜するように形成されているので、コマ２６，２７によって挟持されることにより、調整ねじ１８の締め付けに伴って焦点鏡枠２４は矢印Ｆ方向に、コマ２６，２７は矢印Ｆ方向と反対方向に押圧され、枠押え３０と受け板１４にそれぞれ圧接して保持される。
【００４７】
【発明の効果】
以上のように本発明によれば、一本の調整ねじを回すことで、焦点鏡の十字線中心を、視準軸に垂直な面と、視準軸を含む鉛直面の交線上に合わせることができ、焦点鏡の調整に要する時間を削減することができ、作業効率性を向上させることが可能となる。また調整に熟練を必要とすることなく正確且つ簡単に焦点鏡の調整を行うことが可能となる。
【図面の簡単な説明】
【図１】本発明の焦点鏡調整装置の図２におけるА−А線断面説明図である。
【図２】本発明の焦点鏡調整装置の正面図である。
【図３】図１におけるＢ−Ｂ線断面説明図である。
【図４】焦点鏡枠，コマ，ガイドピンを示す斜視図である。
【図５】焦点鏡調整装置の測量機への取付を示す説明図である。
【図６】従来例を示す説明図である。
【符号の説明】
１  鏡筒
１０  外枠
１１ａ，１１ｂ  開口部
１２  凹部
１３  立壁
１４  受け板
１５  外枠固定ねじ
１６  ばね受けねじ
１７  コイルばね
１８  調整ねじ
１９  鋼球
２０  ガイドピン
２３  焦点鏡
２４  焦点鏡枠
２６，２７  押えコマ
３０  枠押え
Ｓ  焦点鏡調整装置
【図１】
0003832532.tif 000002
【図２】
0003832532.tif 000003
【図３】
0003832532.tif 000004
【図４】
0003832532.tif 000005
【図５】
0003832532.tif 000006
【図６】
0003832532.tif 000007